(57)【特許請求の範囲】
【請求項１】
室外機の外郭を構成する筐体と、
前記筐体の内部に設けられ、前記筐体内の空間を、熱交換器と送風機とを収納する送風機室と、圧縮機を収納する機械室とに隔てる仕切板と、
前記室外機を制御する電子部品を収納し、前記仕切板に取り付けられる電気品箱と、
前記送風機を支持し、前記送風機と前記熱交換器との間に配置されるモータ支持部材と、
を備え、
前記電気品箱は、
前記電子部品が取り付けられた制御基板を収納する基板ホルダーを有し、
前記基板ホルダーは、
４辺を構成する側壁部によって、矩形の枠状に形成されており、前記基板ホルダーには、前記送風機室に突出する係止突起が形成されており、
前記係止突起は、
前記側壁部に対して垂直方向に突出して延びる板状の壁部を構成する前後方向押さえ壁を有し、
前記モータ支持部材は、
前記送風機の上方に配置された板状の天面部を有し、
前記天面部は、
前記天面部の縁部の一部が突出するように形成された収納部を有し、
前記収納部は、
前記係止突起と前記熱交換器との間に配置されており、前記熱交換器と対向する壁部を構成する収納部側面部を有し、
前記前後方向押さえ壁と、前記収納部側面部とが対向して互いに固定されることで、前記係止突起と前記収納部とが固定されている空気調和機の室外機。
【請求項２】
前記前後方向押さえ壁には、第１固定ネジ穴が形成されており、
前記収納部側面部には、第２固定ネジ穴が形成されており、
前記第１固定ネジ穴と前記第２固定ネジ穴とに挿通される固定ネジによって、
前記前後方向押さえ壁と前記収納部側面部とが互いに固定される請求項１に記載の空気調和機の室外機。
【請求項３】
前記係止突起は、
前記側壁部から斜め上方に突出する壁部を構成する上下方向押さえ壁と、
前記上下方向押さえ壁よりも下方に形成される突出片と、
を有し、
前記上下方向押さえ壁と前記突出片とは、前記収納部と対向する位置の前記側壁部に形成されている請求項１又は請求項２に記載の空気調和機の室外機。
【請求項４】
前記収納部は、
前記天面部の前記電気品箱と対向する側の縁部において前後方向に延び、前方の端部に前記収納部側面部が形成された収納部天面部を有し、
前記電気品箱が、前記仕切板に取り付けられた状態において、
前記収納部天面部は、前記上下方向押さえ壁と前記突出片との間に配置される請求項３に記載の空気調和機の室外機。
【請求項５】
前記電気品箱が、前記仕切板に取り付けられた状態において、
前記収納部天面部は、前記上下方向押さえ壁と対向する請求項４に記載の空気調和機の室外機。
【請求項６】
前記前後方向押さえ壁は、前記収納部側面部と対向する面とは反対側の面の周縁部に側壁を有する請求項１〜請求項５のいずれか１項に記載の空気調和機の室外機。
【発明の詳細な説明】
【技術分野】
【０００１】
本発明は、空気調和機の室外機に関するものである。
【背景技術】
【０００２】
従来より、空気調和機の室外機は、電気品箱を仕切板に固定しているものがある（例えば、特許文献１参照）。ここで、電気品箱は、ファン及び圧縮機等を制御する制御基板等を内部に収容したものである。また、仕切板は、室外機の内部空間を機械室と送風機室とに隔てるものである。特許文献１の室外機は、筐体内において前後方向に所定の隙間をあけて熱交換器と電気品箱とを配置している。
【先行技術文献】
【特許文献】
【０００３】
【特許文献１】国際公開第２００９／０４１４２４号
【発明の概要】
【発明が解決しようとする課題】
【０００４】
特許文献１の室外機は、電気品箱が仕切板の上部に配置され、電気品箱の後方には熱交換器が配置されている。特許文献１の室外機は、輸送時等の取り扱いにより前後方向に転倒すると、仕切板が転倒の衝撃でたわみ、電気品箱又は仕切板が熱交換器に接触して熱交換器のフィンが変形する恐れがある。近年、空気調和機の室外機は、制御基板が大きくなる傾向にあり、電気品箱と熱交換器との隙間が小さくなっている。そのため、室外機の転倒による衝撃で電気品箱と熱交換器とが接触し、例えばフィン等、熱交換器が変形する不具合が発生しやすい状況にある。【０００５】
本発明は、上記のような課題を解決するものであり、室外機が転倒したとしても、転倒による衝撃によって電気品箱が前後に移動することを規制して、熱交換器が電気品箱によって変形することを防ぐ空気調和機の室外機を提供するものである。
【課題を解決するための手段】
【０００６】
本発明の空気調和機の室外機は、室外機の外郭を構成する筐体と、筐体の内部に設けられ、筐体内の空間を、熱交換器と送風機とを収納する送風機室と、圧縮機を収納する機械室とに隔てる仕切板と、室外機を制御する電子部品を収納し、仕切板に取り付けられる電気品箱と、送風機を支持し、送風機と熱交換器との間に配置されるモータ支持部材と、を備え、電気品箱は、電子部品が取り付けられた制御基板を収納する基板ホルダーを有し、基板ホルダーは、４辺を構成する側壁部によって、矩形の枠状に形成されており、基板ホルダーには、送風機室に突出する係止突起が形成されており、係止突起は、側壁部に対して垂直方向に突出して延びる板状の壁部を構成する前後方向押さえ壁を有し、モータ支持部材は、送風機の上方に配置された板状の天面部を有し、天面部は、天面部の縁部の一部が突出するように形成された収納部を有し、収納部は、係止突起と熱交換器との間に配置されており、熱交換器と対向する壁部を構成する収納部側面部を有し、前後方向押さえ壁と、収納部側面部とが対向して互いに固定されることで、係止突起と収納部とが固定されているものである。
【発明の効果】
【０００７】
本発明の空気調和機の室外機は、モータ支持部材の収納部が、電気品箱の係止突起と熱交換器との間に配置され、係止突起と収納部とが固定されているものである。そして、室外機は、収納部が係止突起と固定されていることで電気品箱の移動が規制される。その結果、室外機は、室外機が転倒したとしても、転倒による衝撃によって電気品箱が前後に移動することが規制され、熱交換器が電気品箱の接触によって変形することを防ぐことができる。
【図面の簡単な説明】
【０００８】
【図１】本発明の実施の形態に係る室外機の斜視図である。
【図２】本発明の実施の形態に係る室外機の一部を分解した分解斜視図である。
【図３】本発明の実施の形態に係る室外機の一部を分解した分解正面図である。
【図４】本発明の実施の形態に係る室外機の電気品箱を分解した斜視図である。
【図５】本発明の実施の形態に係る室外機の電気品箱が取り付けられた状態を背面側から示す分解斜視図である。
【図６】本発明の実施の形態に係る室外機の電気品箱が仕切板に取り付けられた状態を背面側から示す分解斜視図である。
【図７】本発明の実施の形態に係る室外機の電気品箱が仕切板に固定された状態を正面側から示す分解斜視図である。
【図８】本発明の実施の形態に係る室外機の電気品箱の仕切板への取り付けを正面側から示す分解斜視図である。
【図９】本発明の実施の形態に係る室外機の電気品箱がモータ支持部材に固定された状態を示す分解斜視図である。
【図１０】本発明の実施の形態に係る室外機の電気品箱のモータ支持部材への取り付けを示す分解斜視図である。
【図１１】図１０の電気品箱の基板ホルダーの係止突起を示す斜視図である。
【図１２】図１１の係止突起を他の方向からみた斜視図である。
【図１３】図１１の係止突起を側方から見た側面図である。
【図１４】図１１の係止突起を上方から見た上面図である。
【図１５】図１１の係止突起を背面側から見た背面図である。
【図１６】図２の室外機のモータ支持部材を示す斜視図である。
【図１７】図１６の収納部の拡大図である。
【図１８】図１６の天面部を下方から見た斜視図である。
【図１９】図１６のモータ支持部材の上面図である。
【図２０】図１７の収納部側面部と図１５の前後方向押さえ壁とを当接させた背面図である。
【図２１】本発明の実施の形態に係る室外機の一部を分解した分解上面図である。
【発明を実施するための形態】
【０００９】
以下、本発明における空気調和機の室外機１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】
実施の形態．
図１は、本発明の実施の形態に係る室外機１００の斜視図である。図１を用いて、空気調和機の室外機１００の外郭について説明する。図１を含む以下の図面に示すＸ軸は、室外機１００の左右方向を示し、Ｙ軸は室外機１００の前後方向を示し、Ｚ軸は室外機１００の上下方向を示すものである。より詳細には、室外機１００を正面から見たときＸ１側を左側、Ｘ２側を右側、Ｙ軸においてＹ１側を前側、Ｙ２側を後側、Ｚ軸においてＺ１側を上側、Ｚ２側を下側として室外機１００を説明する。また、明細書中における各構成部材同士の位置関係（例えば、上下関係等）は、原則として、室外機１００を使用可能な状態に設置したときのものである。
【００１１】
室外機１００は、図１に示すように、略直方体状に構成された筐体５０を有する。室外機１００の筐体５０は、板金製であり、室外機１００の外郭を構成する。室外機１００の筐体５０は、前面パネル１、背面パネル２、天面パネル３及びベース４を有する。筐体５０は、前面パネル１と、背面パネル２と、天面パネル３と、ベース４とによって箱状に形成されている。
【００１２】
前面パネル１は、横長の第１の側面部１ａと、縦長の第２の側面部１ｂとを有し、室外機１００の上方、すなわち天面パネル３の側から見てＬ字形状となるように折り曲げられた板金パネルである。第１の側面部１ａは、室外機１００の空気が吹き出される側の筐体５０の側壁を構成し、第２の側面部１ｂは、室外機１００内の空気の主たる流れ方向に沿って延びる筐体５０の側壁を構成する。なお、前面パネル１には、円形状の吹出口１ｃが形成されている。また、前面パネル１には、吹出口１ｃを覆って送風機５のプロペラファンを保護する矩形形状のファンガード６が取り付けられている。また、第２の側面部１ｂには、室外空気を室外機１００の内部に取り込むための複数のスリットが形成されていてもよい（図示は省略）。なお、第２の側面部１ｂは、図１の斜視図では図示されないため、第２の側面部１ｂに該当する側面の位置を符号と共に矢印付きの引出線で示している。また、前面パネル１は、第１の側面部１ａと、第２の側面部１ｂとを別体として、２つの板金パネルで構成してもよい。
【００１３】
背面パネル２は、天面パネル３の側から見てＬ字形状となるように折り曲げられた板金パネルである。背面パネル２は、第２の側面部１ｂに対面する縦長の第３の側面部２ａと、第１の側面部１ａの第３の側面部２ａの側の面に対面する縦長の第４の側面部２ｂとを有している。第３の側面部２ａには、外部電源と接続したプラグ及び冷媒配管を、内部に引き込むための複数の開口部が形成されている（図示は省略）。また、第３の側面部２ａには、第３の側面部２ａに設けられた複数の開口部を覆い、塵埃又は水の浸入を防ぐためのサービスカバー２ｄが取り付けられている。なお、第４の側面部２ｂは図１の斜視図では図示できないため、第４の側面部２ｂに該当する側面の位置を符号と共に矢印付きの引出線で示している。また、背面パネル２は、第３の側面部２ａと、第４の側面部２ｂとを別体として、２つの板金パネルで構成してもよい。
【００１４】
天面パネル３は、筐体５０の天板を構成し、室外機１００の上部を覆う板金パネルである。天面パネル３は、前面パネル１及び背面パネル２の上縁部に取り付けられている。
【００１５】
ベース４は、筐体５０において天面パネル３と対向し、筐体５０の底板を構成する。ベース４には、前面パネル１及び背面パネル２が取り付けられ、ベース４の下面部には、複数の脚部４ａが設けられている。脚部４ａは、室外機１００を設置場所に固定するための土台となる。なお、ベース４は、図１の斜視図では図示されないため、ベース４に該当するパネルの位置を符号と共に矢印付きの引出線で示している。
【００１６】
図２は、本発明の実施の形態に係る室外機１００の一部を分解した分解斜視図である。図３は、本発明の実施の形態に係る室外機１００の一部を分解した分解正面図である。次に、図１〜図３を用いて、空気調和機の室外機１００の内部構成について説明する。なお、空気調和機の室外機１００の内部構成をわかりやすく説明するために、図２及び図３では、例えば、前面パネル１、背面パネル２、天面パネル３等、室外機１００の一部の構成部品の図示を省略している。室外機１００は、筐体５０の内部に、仕切板７と、熱交換器１０と、送風機５と、圧縮機１１と、電気品箱１３と、モータ支持部材２２と、を有する。
【００１７】
仕切板７は、室外機１００の筐体５０内の空間を、送風機室８と機械室９とに隔てる仕切壁である。仕切板７は、筐体５０の内部に設けられた板状の部材であり、ベース４から上方向（Ｚ軸方向）に設けられていると共に、ベース４の前後方向（Ｙ軸方向）に設けられている。すなわち、仕切板７は、筐体５０内においてベース４上に配置され、前面パネル１の第１の側面部１ａと背面パネル２の第４の側面部２ｂとの間に延びるように設けられている。仕切板７は、例えば、板金等を折曲して形成されている。
【００１８】
送風機室８は、前面パネル１、天面パネル３、ベース４、熱交換器１０、及び仕切板７によって取り囲まれた空間である。送風機室８は、室外機１００の外部から熱交換器１０又は前面パネル１の第２の側面部１ｂに設けられた複数のスリットを介して室外空気を取り込み、室外機１００の内部の空気を吹出口１ｃを介して室外機１００の外部へ排気できるように構成されている。機械室９は、前面パネル１の第１の側面部１ａ、背面パネル２、天面パネル３、ベース４、及び仕切板７によって取り囲まれた空間であり、室外機１００の外部からの塵埃又は水の侵入を回避できる構造となっている。
【００１９】
筐体５０内の送風機室８側の空間には、熱交換器１０と、熱交換器１０に対向するように配置された送風機５とが収納されており、筐体５０内の機械室９側の空間には、圧縮機１１が収納されている。この熱交換器１０及び圧縮機１１は、ベース４上に設置されている。また、仕切板７の上端には、電気品箱１３が配置されている。電気品箱１３は、圧縮機１１の上方において、送風機室８と機械室９とにわたって配置されている。なお、電気品箱１３は、送風機室８と機械室９とにわたって配置されているものに限定されるものではなく、例えば、主たる部分が機械室９にのみ配置されてもよい。
【００２０】
熱交換器１０は、内部を流れる冷媒と外気との熱交換を行うものであって、暖房運転時には蒸発器として機能し、冷房運転時には凝縮器として機能する。熱交換器１０は、例えば、フィンアンドチューブ型熱交換器として構成でき、冷媒を通過させる複数の伝熱管１０ａと、伝熱管１０ａを流れる冷媒と外気との間の伝熱面積を大きくするための複数のフィン１０ｂとを備えている。熱交換器１０は、平板領域と曲面領域とを有し、ベース４に対して垂直方向に見た場合に、Ｌ字形状に形成されている。なお、図２及び図３では、熱交換器１０がＬ字状に形成された場合について例示しているが、熱交換器１０は、ベース４に対して垂直方向に見た場合に、直線状に形成されたものでもよく、両端に曲面領域を備えたＵ字状に形成されたものでもよい。
【００２１】
送風機５は、図２に示すように、モータ５ａとプロペラファン５ｂとを備えた送風手段であり、熱交換器１０における熱交換を効率的に行うための空気循環を生成する。送風機５は、図２及び図３に示すように、筐体５０内において、熱交換器１０の前方（Ｙ１側）に配置されている。送風機５は、モータ５ａが、モータ支持部材２２に取り付けられて固定される。送風機５は、熱交換器１０とプロペラファン５ｂとの間を負圧にして、筐体５０の背面側（Ｙ２側）から筐体５０の内部に外気を導入し、室外機１００の内部に導入された外気を室外機１００の前面側（Ｙ１側）から筐体５０外に向かって排出する。
【００２２】
圧縮機１１は、吸入した冷媒を圧縮して高温高圧のガス冷媒の状態にして吐出するものである。圧縮機１１は、例えば、ロータリー式、スクロール式又はベーン式等の圧縮機である。圧縮機１１は、インバータ装置を備えていてもよく、インバータ装置によって運転周波数を変化させて、圧縮機１１の容量を変更することができるように構成されてもよい。圧縮機１１の容量とは、単位時間当たりに送り出す冷媒の量である。なお、機械室９には、冷凍サイクル回路を構成する各構成要素を接続する複数の冷媒配管１２が配置されている。
【００２３】
室外機１００は、筐体５０内に、電気品箱１３を有する。電気品箱１３は、室外機１００の動作を制御するための制御部品等の電気部品を収納する。制御部品は、例えば、回路デバイスなどのハードウェア、又は中央演算処理装置などの演算装置上で実行されるソフトウェアあるいはそれらの組み合わせで構成される。例えば、インバータ駆動回路を有する室外機１００では、制御基板１４が電気品箱１３に収納されている。この制御基板１４には、送風機５及び圧縮機１１を制御するためのトランジスタ及びダイオード等の電子部品が実装されている。電気品箱１３には、電気品箱１３内に収納されている電気部品等を冷却するヒートシンク１５が設けられている。上述した制御基板１４の駆動状態では、トランジスタ及びダイオード等の電子部品が発熱し、制御基板１４の温度が上がる。制御基板１４から熱を放散させて制御基板１４を冷却するために、ヒートシンク１５は、電気品箱１３から突出するように配置され、ヒートシンク１５に送風機室８を流れる空気が当たるように配置される。
【００２４】
図４は、本発明の実施の形態に係る室外機１００の電気品箱１３を分解した斜視図である。室外機１００の筐体５０の内部において、電気品箱１３は、送風機室８と機械室９とにまたがって配置されており、仕切板７の上部に取り付けられている。
【００２５】
電気品箱１３は、コンデンサあるいは抵抗器等の電子部品がはんだ付けによって取り付けられた制御基板１４を有している。制御基板１４には、圧縮機１１及び送風機５のモータ５ａを駆動させる交流電流の周波数を制御するインバータ回路が設けられている。インバータ回路は、周波数制御された交流電流を直流電流から生成する電子回路である。また、制御基板１４には、外部電源から端子台（図示は省略）を介して流れる交流電流を直流電流に変換するコンバータ回路を設けることができる。なお、コンバータ回路は、インバータ回路と同一の制御基板１４に一体に搭載してもよいし、インバータ回路が搭載された基板とは別の制御基板１４に搭載するようにしてもよい。電子部品の取付側を制御基板１４の表面側と仮定した場合に、電気品箱１３は、制御基板１４の裏面側に、基板ホルダー１６と、電気品箱カバー２０と、を有している。
【００２６】
制御基板１４は、ＡＢＳ等の樹脂製の基板ホルダー１６に収納される。換言すれば、基板ホルダー１６は、制御基板１４に取り付けられ、制御基板１４の周縁部と裏面部とを支持している。制御基板１４は、基板ホルダー１６によって、例えば、外部衝撃等から保護される。基板ホルダー１６は、４辺を構成する側壁部１６ａによって、矩形の枠状に形成されている。基板ホルダー１６の側壁部１６ａの内側には、制御基板１４の裏面部を支持する格子形状の枠１６ｂが構成されている。また、基板ホルダー１６には、端子台サポート２１を取り付けることができる。図４に示すように、電子部品が取り付つけられる制御基板１４の表面部は、制御基板１４の下面部（Ｚ２側）に該当する。また、図４に示すように、電子部品がはんだ付けされる制御基板１４の裏面部は、制御基板１４の上面部（Ｚ１側）に該当する。
【００２７】
電気品箱１３の上部には板金製の電気品箱カバー２０が設けられている。電気品箱カバー２０は、基板ホルダー１６にはめ込まれており、基板ホルダー１６の格子形状の枠１６ｂの全体を覆っている。電気品箱カバー２０によって、制御基板１４の裏面部は、水又は塵埃の侵入から保護されている。この電気品箱カバー２０は、露等で制御基板１４が濡れて電気的にショートすることを防ぐと共に、たとえショート等により制御基板１４に炎が発生したとしても制御基板１４から外部に炎が移ることを防止する。
【００２８】
電気品箱１３は、制御基板１４の表面部の側に、ヒートシンク１５を有している。より詳細には、制御基板１４の表面部の発熱性のある電子部品の一部、例えばトランジスタ等には、ヒートシンク１５が取り付けられている。ヒートシンク１５は、電子部品を覆う板状部１５ａと、制御基板１４から離れる方向に板状部１５ａから延在する複数のフィン１５ｂとを有している。ヒートシンク１５に複数のフィン１５ｂを設けることによって、外気との間の伝熱面積を大きくできるため、電子部品で発生する熱を効率良く放散することができる。また、ヒートシンク１５を室外機１００の送風機室８の側に配置することにより、送風機５から送られる空気に熱を効率良く放散することができる。
【００２９】
電気品箱１３は、制御基板１４の表面部の側に、ヒートシンクサポート１７と、ヒートシンクホルダ１９とを備えている。
【００３０】
ヒートシンクサポート１７は、電気品箱１３を仕切板７の上部に配置するときに電気品箱１３を支持し仕切板７に固定するものである。ヒートシンクサポート１７は、板金製であり基板ホルダー１６に固定される。ヒートシンクサポート１７は、基板ホルダー１６に取り付けられる枠体部１７ａを有する。枠体部１７ａは、基板ホルダー１６に取り付けられた状態で、ヒートシンク１５の板状部１５ａとヒートシンクホルダ１９とを覆って支持する。ヒートシンクサポート１７の枠体部１７ａは、中空の矩形の枠体状に形成されており、枠体状に形成された壁部の内側には開口部１７ｃを形成している。ヒートシンクサポート１７の枠体部１７ａは、開口部１７ｃにヒートシンク１５のフィン１５ｂがはめ込まれて固定されることで、開口部１７ｃを介してヒートシンク１５のフィン１５ｂを露出させる。ヒートシンクサポート１７の開口部１７ｃを介して露出したヒートシンク１５のフィン１５ｂによって、送風機室８を流れる風がフィン１５ｂに触れ、フィン１５ｂを介して制御基板１４から熱が放散されて制御基板１４が冷却される。
【００３１】
ヒートシンクサポート１７は、更に、ヒートシンク１５のフィン１５ｂと同一方向に延びるように設けられた側壁部１７ｂを有している。側壁部１７ｂは、板状に形成された側壁である。側壁部１７ｂは、矩形状に形成された枠体部１７ａの一辺から下方（Ｚ２方向）に延びるように形成されている。側壁部１７ｂの先端部は、仕切板７の上部に取り付けられ、側壁部１７ｂは、機械室９と送風機室８とを隔てる壁として機能する。ヒートシンクサポート１７は、枠体部１７ａと側壁部１７ｂとによって前面パネル１の第１の側面部１ａの側から見てＬ字形状の外観を有している。
【００３２】
ヒートシンクサポート１７は、更に、電気品箱１３を仕切板７に配置する場合に、上下方向（Ｚ軸方向）に延びる縦壁部１７ｄを有する。縦壁部１７ｄは、ヒートシンクサポート１７の前方側（Ｙ１側）の側部に設けられた柱状部分である。縦壁部１７ｄは、水平断面が略Ｌ字形状に形成されており、側壁部１７ｂの仮想の延長面と平行に形成された取付面部１７ｄ１の下端部には、固定ネジ穴１７ｅが形成されている。ヒートシンクサポート１７は、枠体部１７ａと、側壁部１７ｂと、縦壁部１７ｄと、が一体に形成されている。
【００３３】
ヒートシンクホルダ１９は、ＡＢＳ等の絶縁樹脂製であり、ヒートシンク１５とヒートシンクサポート１７とを電気的に絶縁するために、ヒートシンク１５とヒートシンクサポート１７との間に配置される。ヒートシンクサポート１７は、金属製であり電気を流すために、ヒートシンク１５とヒートシンクサポート１７とが電気的に接続する恐れがある。そのため、ヒートシンクホルダ１９によってヒートシンク１５とヒートシンクサポート１７との電気的な絶縁を確保する。なお、ヒートシンクホルダ１９は、フィン１５ｂを貫通させるための矩形状のスリットが設けられており、フィン１５ｂにおける熱放散を妨害しないように構成されている。
【００３４】
電気品箱１３は、更に、端子台サポート２１を有してもよい。端子台サポート２１は、端子台（図示は省略）を搭載し、この端子台は、制御基板１４を駆動させるための電源を供給する。端子台には、例えば、サービスカバー２ｄを介して外部の商用電源と接続された配線のプラグが接続される。端子台は、ネジ等（図示は省略）によって、端子台サポート２１に固定されている。また、端子台サポート２１は、基板ホルダー１６にネジ等により固定される。端子台サポート２１は、筐体５０内において機械室９に配置されており、背面パネル２の第３の側面部２ａ側の基板ホルダー１６の端部に取り付けられている。端子台サポート２１は、背面パネル２の第３の側面部２ａ側の基板ホルダー１６の端部から、ベース４に向かって下方（Ｚ２方向）に延びるように配置されている。
【００３５】
図５は、本発明の実施の形態に係る室外機１００の電気品箱１３が取り付けられた状態を背面側から示す分解斜視図である。図６は、本発明の実施の形態に係る室外機１００の電気品箱１３が仕切板７に取り付けられた状態を背面側から示す分解斜視図である。図５及び図６は、電気品箱１３が仕切板７に載せられて、仕切板７に取り付けられた状態を示す図である。図５及び図６に示すように、電気品箱１３の構成部品である基板ホルダー１６の、側壁部１６ａの外周側には、仕切板引掛部１６ｃが形成されている。仕切板引掛部１６ｃは、側壁部１６ａの外周側の壁面から突出し、先端が下方に向かって延びる爪である。仕切板引掛部１６ｃは、側壁部１６ａを構成する４つの側壁のうち、後側壁部１６ａ１に形成されている。後側壁部１６ａ１は、電気品箱１３を仕切板７に配置した場合に、熱交換器１０が配置されている側の面の側壁を構成する。電気品箱１３を仕切板７に配置する場合に、この仕切板引掛部１６ｃを仕切板７の引掛ストレート部７ａに引っ掛けて、電気品箱１３を仕切板７に載せる。仕切板７の引掛ストレート部７ａは、図２、図５及び図６に示すように、仕切板７の上縁部７ｂから下方に切り欠かれた部分であり、仕切板７の上側の縁部が略水平に形成されている部分である。引掛ストレート部７ａは、仕切板７をベース４上に配置した場合に、室外機１００の筐体５０の左右方向（Ｘ軸方向）に延びている。
【００３６】
図７は、本発明の実施の形態に係る室外機１００の電気品箱１３が仕切板７に固定された状態を正面側から示す分解斜視図である。図８は、本発明の実施の形態に係る室外機１００の電気品箱１３の仕切板７への取り付けを正面側から示す分解斜視図である。図７及び図８を用いて、電気品箱１３を仕切板７に取り付ける作業について説明する。電気品箱１３は、仕切板７の上に載せられた後、固定ネジ２３によって、仕切板７にネジ止めされて固定される。上述したように、ヒートシンクサポート１７は、上下方向（Ｚ軸方向）に延びる縦壁部１７ｄを有しており、縦壁部１７ｄを構成する取付面部１７ｄ１の下端部には、固定ネジ穴１７ｅが形成されている。縦壁部１７ｄに形成された固定ネジ穴１７ｅに対し、仕切板７の上端部には、バーリング穴７ｃが形成されている。電気品箱１３を仕切板７に配置する場合に、取付面部１７ｄ１と仕切板７とが対向し、取付面部１７ｄ１に形成された固定ネジ穴１７ｅと、仕切板７に形成されたバーリング穴７ｃとが連通する。そして、固定ネジ穴１７ｅとバーリング穴７ｃとに挿通された固定ネジ２３によって、取付面部１７ｄ１と仕切板７とがネジ締結され、電気品箱１３が仕切板７に固定される。なお、縦壁部１７ｄは、電気品箱１３において、仕切板引掛部１６ｃが形成されている側の側面とは電気部品を介して反対側の側面に配置されている。すなわち、筐体５０の第１の側面部１ａと第４の側面部２ｂとの間において、仕切板引掛部１６ｃは、第４の側面部２ｂ側に配置され、縦壁部１７ｄは、第１の側面部１ａ側に配置されている。また、仕切板７に形成されたバーリング穴７ｃは、筐体５０の第１の側面部１ａと第４の側面部２ｂとの間において、仕切板７の、第１の側面部１ａ側の上端部に形成されている。
【００３７】
図９は、本発明の実施の形態に係る室外機１００の電気品箱１３がモータ支持部材２２に固定された状態を示す分解斜視図である。図１０は、本発明の実施の形態に係る室外機１００の電気品箱１３のモータ支持部材２２への取り付けを示す分解斜視図である。ネジ締結によって電気品箱１３が仕切板７に固定された後、電気品箱１３は、固定ネジ２４によって、モータ支持部材２２に固定される。室外機１００は、電気品箱１３に形成された係止突起１６ｅと、モータ支持部材２２に形成された収納部２２ｅと、が係合する。以下、電気品箱１３に形成された係止突起１６ｅと、モータ支持部材２２に形成された収納部２２ｅと、について説明する。
【００３８】
図１１は、図１０の電気品箱１３の基板ホルダー１６の係止突起１６ｅを示す斜視図である。図１２は、図１１の係止突起１６ｅを他の方向からみた斜視図である。図１３は、図１１の係止突起１６ｅを側方から見た側面図である。図１４は、図１１の係止突起１６ｅを上方から見た上面図である。図１５は、図１１の係止突起１６ｅを背面側から見た背面図である。基板ホルダー１６は、側壁部１６ａに形成された係止突起１６ｅを有する。係止突起１６ｅは、基板ホルダー１６の側壁部１６ａを構成する４つの側壁のうち、内側壁部１６ａ３に形成されている。内側壁部１６ａ３は、電気品箱１３を仕切板７に配置した場合に、送風機５が配置されている側の面の側壁を構成する。係止突起１６ｅは、電気品箱１３を仕切板７に配置した場合に、内側壁部１６ａ３から送風機室８へと突出している。係止突起１６ｅは、突出部１６ｆと、上下方向押さえ壁１６ｇと、突出片１６ｈとを有する。突出部１６ｆは、後述する切欠部２２ｊと対向する位置の側壁部１６ａに形成されている。上下方向押さえ壁１６ｇと突出片１６ｈとは、収納部２２ｅと対向する位置の側壁部１６ａに形成されている。
【００３９】
突出部１６ｆは、電気品箱１３を仕切板７に配置した場合に、モータ支持部材２２を構成する収納部２２ｅの前方（Ｙ１側）に配置される部材である。突出部１６ｆは、電気品箱１３の短手方向（Ｙ軸方向）に延びる内側壁部１６ａ３の両端部に対して、内側壁部１６ａ３の中央部側に形成されている。突出部１６ｆは、前後方向押さえ壁１６ｆ１と、支持部１６ｆ２と、を有する。
【００４０】
前後方向押さえ壁１６ｆ１は、内側壁部１６ａ３に対して略垂直方向に突出して延びる板状の壁部である。前後方向押さえ壁１６ｆ１は、室外機１００の筐体５０の前後方向（Ｙ軸方向）に面する壁部を構成する。すなわち、室外機１００の筐体５０内において、前後方向押さえ壁１６ｆ１の一方の壁面は、熱交換器１０の配置されている側に面しており、前後方向押さえ壁１６ｆ１の他方の壁面は、前面パネル１の第１の側面部１ａの配置されている側に面している。電気品箱１３を仕切板７に配置した場合に、前後方向押さえ壁１６ｆ１は、モータ支持部材２２を構成する収納部２２ｅの収納部側面部２２ｇと対向して当接する。前後方向押さえ壁１６ｆ１には、モータ支持部材２２とのネジ締結に利用される固定ネジ穴１６ｄが形成されている。固定ネジ穴１６ｄは、室外機１００の第１固定ネジ穴である。また、前後方向押さえ壁１６ｆ１の縁部には、前後方向押さえ壁１６ｆ１から電気品箱１３の前方側（Ｙ１側）に向かって延びる側壁１６ｋが形成されている。すなわち、前後方向押さえ壁１６ｆ１は、収納部側面部２２ｇと対向する面とは反対側の面の周縁部に側壁１６ｋを有する。
【００４１】
支持部１６ｆ２は、前後方向押さえ壁１６ｆ１の縁部に形成された側壁１６ｋの一部であり、電気品箱１３の短手方向（Ｙ軸方向）に延びるように設けられている。支持部１６ｆ２は、電気品箱１３の短手方向（Ｙ軸方向）に延びる一端側が前後方向押さえ壁１６ｆ１と一体に形成されており、他端側が内側壁部１６ａ３と一体に形成されている。支持部１６ｆ２は、前後方向押さえ壁１６ｆ１と内側壁部１６ａ３との間に配置されているため、前後方向押さえ壁１６ｆ１に対して、後方（Ｙ２側から）から前方（Ｙ１側に）に荷重がかかるような場合に、荷重による前後方向押さえ壁１６ｆ１の変形を防ぐ。すなわち、支持部１６ｆ２は、前後方向押さえ壁１６ｆ１の強度を向上させる。
【００４２】
上下方向押さえ壁１６ｇは、内側壁部１６ａ３から斜め上方に突出するように形成された壁部である。上下方向押さえ壁１６ｇを構成する壁面は、電気品箱１３を仕切板７に配置した場合に、第２の側面部１ｂとベース４とに面するように形成されている。この上下方向押さえ壁１６ｇは、電気品箱１３を仕切板７に配置した場合に、モータ支持部材２２を構成する収納部２２ｅの上方（Ｚ１側）に配置される。上下方向押さえ壁１６ｇは、電気品箱１３の短手方向（Ｙ軸方向）に延びる内側壁部１６ａ３において、前後方向押さえ壁１６ｆ１と後側壁部１６ａ１側の端部との間に形成されている。上下方向押さえ壁１６ｇは、内側壁部１６ａ３において、電気品箱１３の短手方向（Ｙ軸方向）に沿って２つ形成されている。なお、実施の形態の室外機１００では、上下方向押さえ壁１６ｇは、内側壁部１６ａ３において２つ形成されているが、上下方向押さえ壁１６ｇの形成数は、１つでもよく、３つ以上でもよい。上下方向押さえ壁１６ｇは、電気品箱１３のモータ支持部材２２に対する位置を決める際に利用される位置決め部材であり、電気品箱１３を仕切板７に配置する場合に収納部２２ｅにガイドされ、電気品箱１３の配置を特定することができる。上下方向押さえ壁１６ｇはまた、収納部２２ｅと当接させることで、室外機１００の搬送時に電気品箱１３が上下方向に動くことを規制するように構成してもよい。
【００４３】
突出片１６ｈは、内側壁部１６ａ３から突出する板状の部材である。突出片１６ｈは、内側壁部１６ａ３において、上下方向押さえ壁１６ｇよりも下方に形成されている。突出片１６ｈは、電気品箱１３を仕切板７に配置した場合に、モータ支持部材２２を構成する収納部２２ｅの下方（Ｚ２側）に配置される。突出片１６ｈは、三角形の板状に形成されており、三角形の一辺は、内側壁部１６ａ３と一体に形成されており、三角形の他の一辺は突出片１６ｈの形成側に面した上縁部を形成する。突出片１６ｈは、電気品箱１３の短手方向（Ｙ軸方向）に延びる内側壁部１６ａ３において、前後方向押さえ壁１６ｆ１と後側壁部１６ａ１側の端部との間に形成されている。突出片１６ｈは、内側壁部１６ａ３において、電気品箱１３の短手方向（Ｙ軸方向）に沿って２つ形成されている。なお、実施の形態の室外機１００では、突出片１６ｈは、内側壁部１６ａ３において２つ形成されているが、突出片１６ｈの形成数は、１つでもよく、３つ以上でもよい。突出片１６ｈは、電気品箱１３のモータ支持部材２２に対する位置を決める際に利用される位置決め部材であり、電気品箱１３を仕切板７に配置する場合に突出片１６ｈの上縁部が収納部２２ｅの端部と当接し、電気品箱１３の配置を特定することができる。なお、実施の形態の室外機１００では、突出片１６ｈは三角形の板状に形成されているが、電気品箱１３を仕切板７に配置する場合に収納部２２ｅの端部と当接し、電気品箱１３の位置決め部材として機能すれば他の形状であってもよい。
【００４４】
図１６は、図２の室外機１００のモータ支持部材２２を示す斜視図である。図１７は、図１６の収納部２２ｅの拡大図である。図１８は、図１６の天面部２２ｃを下方から見た斜視図である。図１９は、図１６のモータ支持部材２２の上面図である。モータ支持部材２２は、ベース４上に立ち上がるように設けられる。モータ支持部材２２は、送風機５を支持し、送風機５と熱交換器１０との間に配置される。モータ支持部材２２は、柱部２２ｈと、柱部２２ｈに設けられたモータ支持部２２ｂと、モータ支持部２２ｂの下方に設けられた固定部２２ｄと、モータ支持部２２ｂの上方に設けられた天面部２２ｃと、を有している。
【００４５】
モータ支持部材２２の柱部２２ｈは、筐体５０の内部において、ベース４と天面パネル３との間で上下方向（Ｚ軸方向）に延びるように設けられた柱状の部材である。モータ支持部２２ｂは、柱部２２ｈの上下方向（Ｚ軸方向）の略中央部分に設けられており、モータ支持部２２ｂには、送風機５のモータ５ａが支持されて固定される。固定部２２ｄは、柱部２２ｈの下端部に設けられており、柱部２２ｈの下端部から第１の側面部１ａの方向に突出するように形成されている。すなわち、固定部２２ｄは、送風機５の下方に配置されている。固定部２２ｄは、ネジ締結等によりベース４に固定される。天面部２２ｃは、柱部２２ｈの上端部に設けられており、柱部２２ｈの上端部から第１の側面部１ａの方向に突出するように形成された板状の部材である。天面部２２ｃは、ベース４の垂直方向から見た平面視において矩形状に形成されている。
【００４６】
天面部２２ｃは、突出方向の基部が柱部２２ｈと連結している。また、天面部２２ｃは、天面部２２ｃの突出方向の先端部２２ｋが、前面パネル１の第１の側面部１ａと固定される。すなわち、天面部２２ｃは、送風機５の上方に配置されている。天面部２２ｃは、機械室９側の縁部に収納部２２ｅを有する。収納部２２ｅは、天面部２２ｃの縁部の一部が突出するように形成された部分である。また、収納部２２ｅは、天面部２２ｃの縁部が固定部２２ｄ側に向かって斜め下方に折り曲げられた部分である。収納部２２ｅは、天面部２２ｃの突出方向（Ｙ軸方向）において、柱部２２ｈに近い後方（Ｙ２側）側に形成されている。天面部２２ｃは、天面部２２ｃの突出方向（Ｙ軸方向）において、収納部２２ｅの前方（Ｙ１側）に、切欠部２２ｊが形成されている。切欠部２２ｊは、天面部２２ｃの縁部が切り欠かれた部分である。収納部２２ｅは、収納部天面部２２ｆと、収納部側面部２２ｇと、を有する。
【００４７】
収納部天面部２２ｆは、天面部２２ｃの縁部であって、固定部２２ｄ側に向かって斜め下方に折り曲げられた板状の壁部である。収納部天面部２２ｆは、天面部２２ｃの電気品箱１３と対向する側の縁部において前後方向に延びる板状部分であり、前方（Ｙ１側）の端部には収納部側面部２２ｇが形成されている。収納部側面部２２ｇは、天面部２２ｃの突出方向（Ｙ軸方向）において、切欠部２２ｊ側の収納部天面部２２ｆの端部から下方に折り曲げられた板状の部分である。収納部側面部２２ｇは、天面部２２ｃの壁面に対して略垂直方向の面を形成する板状の壁部である。収納部側面部２２ｇの壁面は、室外機１００の筐体５０の前後方向（Ｙ軸方向）に面している。すなわち、室外機１００の筐体５０内において、収納部側面部２２ｇの一方の面は、熱交換器１０の配置されている側に面しており、収納部側面部２２ｇの他方の面は、前面パネル１の第１の側面部１ａの配置されている側に面している。したがって、収納部側面部２２ｇは、熱交換器１０と対向する壁部を構成する。電気品箱１３を仕切板７に配置した場合に、収納部側面部２２ｇは、電気品箱１３の前後方向押さえ壁１６ｆ１と対向して当接する。収納部側面部２２ｇには、電気品箱１３とのネジ締結に利用される固定ネジ穴２２ａが形成されている。固定ネジ穴２２ａは、室外機１００の第２固定ネジ穴である。
【００４８】
図２０は、図１７の収納部側面部２２ｇと図１５の前後方向押さえ壁１６ｆ１とを当接させた背面図である。電気品箱１３を仕切板７に配置した場合には、収納部２２ｅは、基板ホルダー１６の係止突起１６ｅに上方と前方向を覆われ、係止突起１６ｅの固定ネジ穴１６ｄに挿通される固定ネジ２４によって係止突起１６ｅにネジ締結される。そして、固定ネジ２４によって、係止突起１６ｅと収納部２２ｅとが固定されている。この場合、収納部２２ｅは、係止突起１６ｅと熱交換器１０との間に配置されている。また、収納部２２ｅと、熱交換器１０との間には間隙が形成されている。
【００４９】
より詳細には、電気品箱１３を仕切板７に配置した場合には、収納部２２ｅは、上下方向押さえ壁１６ｇと突出片１６ｈとの間に配置され、収納部天面部２２ｆは、係止突起１６ｅの上下方向押さえ壁１６ｇと対向する。また、電気品箱１３を仕切板７に配置した場合には、収納部側面部２２ｇは、係止突起１６ｅの前後方向押さえ壁１６ｆ１と対向する。また、電気品箱１３を仕切板７に配置した場合には、基板ホルダー１６の前後方向押さえ壁１６ｆ１に形成された固定ネジ穴１６ｄと、モータ支持部材２２の収納部側面部２２ｇに形成された固定ネジ穴２２ａとは連通する。そして、基板ホルダー１６に形成された固定ネジ穴１６ｄと、モータ支持部材２２に形成された固定ネジ穴２２ａとに挿通された固定ネジ２４によって、前後方向押さえ壁１６ｆ１と、収納部側面部２２ｇとが対向して互いに固定される。固定ネジ２４によって、前後方向押さえ壁１６ｆ１と収納部側面部２２ｇとが対向して互いに固定されることで、電気品箱１３とモータ支持部材２２とはネジ締結されて、電気品箱１３はモータ支持部材２２に固定される。
【００５０】
図２１は、本発明の実施の形態に係る室外機１００の一部を分解した分解上面図である。電気品箱１３は、仕切板７の上部に配置され、仕切板７とモータ支持部材２２とにネジ締結され、仕切板７とモータ支持部材２２とに固定される。ここで、特許文献１の室外機は、搬送時等の取り扱い時に、例えば、前後方向に倒れた時に衝撃力により仕切板７が撓む場合がある。その際に、電気品箱が熱交換器に接触し熱交換器のフィンが変形する恐れがある。これに対し、実施の形態の室外機１００は、モータ支持部材２２の天面部２２ｃは、前面パネル１の第１の側面部１ａと固定されている。そして、電気品箱１３は、前面パネル１に固定された天面部２２ｃの収納部２２ｅに固定される。そのため、室外機１００が前後方向に倒れて室外機１００に衝撃力が加わったとしても、図１９の矢印Ｆのように電気品箱１３が熱交換器１０の配置側に移動する事を、基板ホルダー１６の係止突起１６ｅ及びモータ支持部材２２の収納部２２ｅが抑制する。より詳細には、基板ホルダー１６の前後方向押さえ壁１６ｆ１が、対向するモータ支持部材２２の収納部側面部２２ｇによって支持される。そのため、室外機１００が前後方向に倒れて室外機１００に衝撃力が加わったとしても、電気品箱１３の熱交換器１０の配置側への移動が規制される。その結果、室外機１００が前後方向に倒れて室外機１００に衝撃力が加わったとしても、電気品箱１３が熱交換器１０に衝突することがない。
【００５１】
以上のように、空気調和機の室外機１００は、モータ支持部材２２の収納部２２ｅが、電気品箱１３の係止突起１６ｅと熱交換器１０との間に配置され、係止突起１６ｅと収納部２２ｅとが固定されているものである。そして、室外機１００は、収納部２２ｅが係止突起１６ｅと固定されていることで電気品箱１３の移動が規制される。その結果、室外機１００は、室外機１００が転倒したとしても、転倒による衝撃によって電気品箱１３が前後方向に移動することが規制され、例えば、フィン１０ｂ等、熱交換器１０が電気品箱１３の接触によって変形することを防ぐことができる。
【００５２】
また、室外機１００は、前後方向押さえ壁１６ｆ１と、収納部側面部２２ｇとが対向して互いに固定される。収納部側面部２２ｇは、熱交換器１０と対向する壁部を構成しているため、室外機１００が転倒したとしても、前後方向押さえ壁１６ｆ１と収納部側面部２２ｇとが対向することで、収納部側面部２２ｇが前後方向押さえ壁１６ｆ１の前後方向の移動を規制する。その結果、室外機１００は、室外機１００が転倒したとしても、転倒による衝撃によって電気品箱１３が前後方向に移動することが規制され、例えば、フィン１０ｂ等、熱交換器１０が電気品箱１３の接触によって変形することを防ぐことができる。
【００５３】
また、室外機１００は、第１固定ネジ穴と第２固定ネジ穴とに挿通される固定ネジ２４によって、前後方向押さえ壁１６ｆ１と収納部側面部２２ｇとが互いに固定される。その結果、室外機１００は、室外機１００が転倒したとしても、転倒による衝撃によって電気品箱１３が前後方向に移動することが規制され、例えば、フィン１０ｂ等、熱交換器１０が電気品箱１３の接触によって変形することを防ぐことができる。また、室外機１００の搬送時に、電気品箱１３が上下方向に移動することを規制することができる。
【００５４】
また、室外機１００は、上下方向押さえ壁１６ｇと突出片１６ｈとが、収納部２２ｅと対向する位置の側壁部１６ａに形成されている。そのため、上下方向押さえ壁１６ｇと突出片１６ｈとは、作業者が電気品箱１３を仕切板７に取り付ける際に、モータ支持部材２２に対する電気品箱１３の位置決め部材として機能させることができる。
【００５５】
また、室外機１００は、収納部２２ｅが、上下方向押さえ壁１６ｇと突出片１６ｈとの間に配置される。そのため、収納部２２ｅは、作業者が電気品箱１３を仕切板７に取り付ける際に、モータ支持部材２２に対する電気品箱１３の位置決め部材として機能させることができる。
【００５６】
また、室外機１００は、電気品箱１３が、仕切板７に取り付けられた状態において、収納部天面部２２ｆは、上下方向押さえ壁１６ｇと対向する。上下方向押さえ壁１６ｇは、収納部天面部２２ｆと対向することで下方への移動が規制される。そのため、室外機１００は、搬送時に電気品箱１３が上下方向に移動することを規制することができる。
【００５７】
また、室外機１００は、前後方向押さえ壁１６ｆ１が、収納部側面部２２ｇと対向する面とは反対側の面の周縁部に側壁１６ｋを有する。そのため、室外機１００は、前後方向押さえ壁１６ｆ１の強度を向上させることができる。
【００５８】
本発明の実施の形態は上記実施の形態に限定されない。例えば、前後方向押さえ壁１６ｆ１と収納部側面部２２ｇとを互いに固定する固定具はネジに限定されるものではなく、壁部と壁部とを固定できるものであればよく、例えばリベット等であってもよい。
【符号の説明】
【００５９】
１  前面パネル、１ａ  第１の側面部、１ｂ  第２の側面部、１ｃ  吹出口、２  背面パネル、２ａ  第３の側面部、２ｂ  第４の側面部、２ｄ  サービスカバー、３  天面パネル、４  ベース、４ａ  脚部、５  送風機、５ａ  モータ、５ｂ  プロペラファン、６  ファンガード、７  仕切板、７ａ  引掛ストレート部、７ｂ  上縁部、７ｃ  バーリング穴、８  送風機室、９  機械室、１０  熱交換器、１０ａ  伝熱管、１０ｂ  フィン、１１  圧縮機、１２  冷媒配管、１３  電気品箱、１４  制御基板、１５  ヒートシンク、１５ａ  板状部、１５ｂ  フィン、１６  基板ホルダー、１６ａ  側壁部、１６ａ１  後側壁部、１６ａ３  内側壁部、１６ｂ  枠、１６ｃ  仕切板引掛部、１６ｄ  固定ネジ穴、１６ｅ  係止突起、１６ｆ  突出部、１６ｆ１  前後方向押さえ壁、１６ｆ２  支持部、１６ｇ  上下方向押さえ壁、１６ｈ  突出片、１６ｋ  側壁、１７  ヒートシンクサポート、１７ａ  枠体部、１７ｂ  側壁部、１７ｃ  開口部、１７ｄ  縦壁部、１７ｄ１  取付面部、１７ｅ  固定ネジ穴、１９  ヒートシンクホルダ、２０  電気品箱カバー、２１  端子台サポート、２２  モータ支持部材、２２ａ  固定ネジ穴、２２ｂ  モータ支持部、２２ｃ  天面部、２２ｄ  固定部、２２ｅ  収納部、２２ｆ  収納部天面部、２２ｇ  収納部側面部、２２ｈ  柱部、２２ｊ  切欠部、２２ｋ  先端部、２３  固定ネジ、２４  固定ネジ、５０  筐体、１００  室外機。
【図１】
0006937937.tif 000002
【図２】
0006937937.tif 000003
【図３】
0006937937.tif 000004
【図４】
0006937937.tif 000005
【図５】
0006937937.tif 000006
【図６】
0006937937.tif 000007
【図７】
0006937937.tif 000008
【図８】
0006937937.tif 000009
【図９】
0006937937.tif 000010
【図１０】
0006937937.tif 000011
【図１１】
0006937937.tif 000012
【図１２】
0006937937.tif 000013
【図１３】
0006937937.tif 000014
【図１４】
0006937937.tif 000015
【図１５】
0006937937.tif 000016
【図１６】
0006937937.tif 000017
【図１７】
0006937937.tif 000018
【図１８】
0006937937.tif 000019
【図１９】
0006937937.tif 000020
【図２０】
0006937937.tif 000021
【図２１】
0006937937.tif 000022